Podtech/llm-jp-corpus-v4-ja_patent huggingface dataset:
(57)【特許請求の範囲】
【請求項１】
着脱可能なファインダに、撮影情報を表示する第１の液晶表示部を設けるとともにカメラボディに前記第１の液晶表示部と同じ内容を表示する第２の液晶表示部を設け、
前記ファインダ装着時には、前記ファインダ内の第１の液晶表示部を表示させ、前記第２の液晶表示部のバックライトをオフ制御し、
前記ファインダ非装着時には、前記第２の液晶表示部のバックライトをオン制御する液晶制御手段を有することを特徴とするカメラの液晶表示装置。
【発明の詳細な説明】
【０００１】
【発明の属する技術分野】
本発明は、ファインダを着脱できるカメラに設けられる液晶表示装置に関する。
【０００２】
【発明が解決しようとする課題】
ファインダ着脱可能なカメラにおいては、ファインダ非装着時にも撮影情報を表示させるため、液晶表示部（ＬＣＤ）をボディ側に設けることが理想である。ユーザはファインダ装着時にはボディ側に設けられているＬＣＤをボディ側およびファインダ側の光学系を経由してファインダ窓から確認することができ、ファインダ非装着時にはその部分にアタッチメントなど装着してカメラの上方からＬＣＤの内容を見ることができるからである。
【０００３】
しかしながら、ボディ側に内蔵されるＬＣＤの像はファインダ側に入射するときに反転するためファインダ窓で正立像を観察できるようにするため、多くのファインダ光学系部材を工夫して配置しなければならず、構成が複雑になることが考えられる。
【０００４】
そこで、本件発明者は、通常のファインダ装着撮影ではボディ側に設けるＬＣＤは観察しなくても良いような構成にして内部構造の簡略化を実現した。
本発明の目的は、ボディ側だけでなく、ファインダ側にも同じ内容の撮影情報を表示する液晶表示部を設けることにより、上記問題を解決するとともにファインダ装着時にはボディ側の液晶バックライトをオフすることにより消費電力を抑制したカメラの液晶表示装置を提供することにある。
【０００５】
【課題を解決するための手段】
前記目的を達成するために本発明によるカメラの液晶表示装置は、着脱可能なファインダに、撮影情報を表示する第１の液晶表示部を設けるとともにカメラボディに前記第１の液晶表示部と同じ内容を表示する第２の液晶表示部を設け、
前記ファインダ装着時には、前記ファインダ内の第１の液晶表示部を表示させ、前記第２の液晶表示部のバックライトをオフ制御し、
前記ファインダ非装着時には、前記第２の液晶表示部のバックライトをオン制御する液晶制御手段を有している。
【０００６】
【発明の実施の形態】
以下、図面を参照して本発明の実施の形態を詳しく説明する。
図１は、本発明によるカメラの液晶表示装置の実施の形態を示すカメラ側面図で、断面で示した図である。この図は、本発明に直接関連する部分および主要部のみを記載してある。
ＡＥファインダ１０には第１の液晶表示部１が設けられている。
ボディ側にはフォーカシングスクリーン５の上側に第２の液晶表示部２が設けられている。ＡＥファインダ１０の着脱は、ファインダ装着検知スイッチ３により検知される。
図示しないレンズから入射した被写体からの光はリターンミラー６で反射されファインダ側に導かれる。この光はフォーカシングスクリーン５で結像され、その像をＡＥファインダ１０の光学系を通してファインダ窓から観察することができる。
【０００７】
一方、リターンミラー６のハーフ部分を透過した光は測距・測光ミラー７により下方に導かれ、ＣＣＤエリアセンサ４で測距および測光が行われる。
液晶表示部１と２は同じ内容の撮影情報が表示される。
ＡＥファインダが装着されている場合には、第１の液晶表示部１を見て撮影情報を得ることとなる。
【０００８】
図２は、図１からファインダを外しアタッチメントを装着して上方から観察する場合を示すカメラ側面図で、断面で示した図である。
低レベルのアイポイントで撮影するときにＡＥファインダ１０を外して上から観察することが可能である。このとき、必要に応じアタッチメント８を装着することができる。
ファインダ非装着では第２の液晶表示部２を見て撮影情報を得ることとなる。
【０００９】
図３はカメラの制御回路の一部を示す回路ブロック図、図４は、２つの液晶表示部の動作を説明するためのフローチャートである。
カメラのメインスイッチ１３をオンする（ステップ（以下「Ｓ」という）４０１）と、ＣＰＵ１４はファインダ装着検知スイッチ３がオン状態（装着状態）か否か判断する（Ｓ４０２）。
ファインダ装着と判断した場合にはファインダ側の第１の液晶表示部１のバックライトをオン制御し、ボディ側の第２の液晶表示部２のバックライトをオフ制御する（Ｓ４０４）。
ファインダ非装着と判断した場合にはボディ側の第２の液晶表示部２のバックライトをオン制御する（Ｓ４０５）。
【００１０】
【発明の効果】
以上、説明したように本発明は、着脱可能なファインダに、撮影情報を表示する第１の液晶表示部を設けるとともにカメラボディに第１の液晶表示部と同じ内容を表示する第２の液晶表示部を設け、ファインダ装着時には、ファインダ内の第１の液晶表示部を表示させ、第２の液晶表示部のバックライトをオフ制御し、ファインダ非装着時には第２の液晶表示部のバックライトをオン制御する液晶制御手段を有している。
したがって、ファインダ装着時だけでなく、低レベルのアイポイントの撮影のようにファインダを外して撮影を行う場合もボディ側液晶表示部で撮影情報を得ることができ、ファインダ装着時にはボディ側液晶表示部のバックライトはオフ制御されるため消費電力を抑制することができるという効果がある。
【図面の簡単な説明】
【図１】本発明によるカメラの液晶表示装置の実施の形態を示すカメラ側面図で、断面で示した図である。
【図２】図１からファインダを外しアタッチメントを装着して上方から観察する場合を示すカメラ側面図で、断面で示した図である。
【図３】カメラの制御回路の一部を示す回路ブロック図である。
【図４】２つの液晶表示部の動作を説明するためのフローチャートである。
【符号の説明】
１…第１の液晶表示部
２…第２の液晶表示部
３…ファインダ装着検知スイッチ
４…ＣＣＤエリアセンサ
５…フォーカシングスクリーン
６…リターンミラー
７…測距・測光ミラー
８…アタッチメント
９…フィルム面
１０…ＡＥファインダ
１１…カメラボディ
１３…メインスイッチ
１４…ＣＰＵ
【図１】
0003606745.tif 000002
【図２】
0003606745.tif 000003
【図３】
0003606745.tif 000004
【図４】
0003606745.tif 000005
(57)【特許請求の範囲】
【請求項１】
台板の後辺に、縦切り欠き部と横切り欠き部からなるＬ字形の一対の切り欠きを、横切欠き部が外側に向くように対称に設け、この一対のＬ字形の切欠きにイーゼルの左右の前脚を差し入れることにより、台板をイーゼルの左右の前脚に架け渡して取り付けるようにしたイーゼル用テーブル。
【請求項２】
上記台板に、絵の具箱等の画具収納部を設けた請求項１記載のイーゼル用テーブル。
【請求項３】
上記台板に、筆差込孔を設けた請求項１又は２記載のイーゼル用テーブル。
【発明の詳細な説明】
【０００１】
【発明の属する技術分野】
この発明は、特に、写生用のイーゼルに取り付けて、筆立て、筆洗、絵の具、パレットなどの画具を置くことができるイーゼル用テーブルに関する。
【０００２】
【従来の技術とその課題】
従来、野外でイーゼルを使って写生を行う場合、絵の具箱、筆洗、筆箱などの置き場に困ることが多い。
【０００３】
このため、イーゼルに、画具などを置くテーブルがあると便利であるが、取り付けや取り外しに手間が掛かるものは、野外では特に不便である。
【０００４】
そこで、この発明は、市販のイーゼルに簡単に着脱可能なイーゼル用テーブルを提供しようとするものである。
【０００５】
【課題を解決するための手段】
この発明に係るイーゼル用テーブルは、台板の後辺に、縦切り欠き部と横切り欠き部からなるＬ字形の一対の切り欠きを、横切欠き部が外側に向くように対称に設け、この一対のＬ字形の切欠きにイーゼルの左右の前脚を差し入れることにより、台板をイーゼルの左右の前脚に架け渡して取り付け可能にしたものである。
【０００６】
即ち、イーゼルの左右の前脚の間隔は、下方に向かって広がっているので、一対のＬ字形の切欠きの縦切り欠き部からイーゼルの左右の前脚を入れ、その後、台板を下方に下ろして、左右の前脚を一対のＬ字形の切欠きの横切り欠き部に嵌め入れることにより、台板がイーゼルの左右の前脚に対し水平に保持される。
【０００７】
【発明の実施の形態】
以下、この発明に係るイーゼル用テーブルの実施形態について説明する。
【０００８】
イーゼル１は、左右の前脚２ａ、２ｂと後脚３からなる折り畳み可能な三脚本体と、左右の前脚２ａ、２ｂ間に掛け渡された、キャンバスＡを載置するキャンバス台４と、三脚本体の上部の脚接合部に、垂直に出し入れ自在に設けられるキャンバス押さえ桿５とからなる。
【０００９】
上記キャンバス台４は、多数のピン孔６を形成したＬ字形の金具からなり、図４に示すように、一組のピン孔６に、前脚２ａ、２ｂの前面に設けたピン７を差込んで、三脚本体に取り付けられる。このピン７に差込むキャンバス台４のピン孔６の間隔を変更することにより、三脚本体の広き角度の調節が可能である。
【００１０】
この発明に係るイーゼル用テーブルは、木材、プラスチック、アルミ等の適宜の材料によって形成された矩形の台板１０からなり、台板１０の後辺を上記イーゼル１の左右の前脚２ａ、２ｂに架け渡すようにして簡単にイーゼル１に装着することができるようにしている。
【００１１】
即ち、台板１０の後辺には、縦切り欠き部１１ａと横切り欠き部１１ｂからなるＬ字形の一対の切り欠き１１が、横切欠き部１１ｂが外側に向くように対称に設けられ、イーゼル１の左右の前脚２ａ、２ｂを縦切り欠き部１１ａに入れ、その後、台板１０を下方に下ろし、横切り欠き部１１ｂに、下方に広がっている前脚２ａ、２ｂを嵌め入れることにより、台板１０を水平状態に保持することができるようになっている。
【００１２】
図１に示す形態のイーゼル用テーブルは、上記台板１０が、上面に蝶番によって開閉自在の蓋１２を有する箱体１３からなり、この箱体１３内に絵の具箱等の画具を収納することができるようにしている。また、この箱体１３の側方には、筆立て１４、筆洗１５等を差し込む差し込み孔１６、１７を設けた補助板１８が、蝶番によって上面側に折り畳み可能に設けている。この補助板１８をパレット形状に形成するようにしてもよい。
【００１３】
また、箱体１３の後方には、筆拭きや絵の具等を収容する収容凹部１９や径の異なる複数の筆差し込み孔２０を設けるようにしてもよい。
【００１４】
また、レストラン等では、イーゼルをメニュー台として使用することもあるが、この発明に係るイーゼル用テーブルを、サンプル料理を置く台としても使用することができ、このような場合には、図６に示すように、台板１０のみからなるイーゼル用テーブルを使用すればよい。
【００１５】
【発明の効果】
この発明に係るイーゼル用テーブルは、以上のように、台板の後辺に形成した一対のＬ字形の切欠きに、イーゼルの左右の前脚を差し込むことにより、極めて簡単にイーゼルに設置することができるので、携行し易く、特に、野外の写生に便利である。
【００１６】
また、レストラン等では、イーゼルをメニュー台として使用することもあるが、この発明に係るイーゼル用テーブルをイーゼルに取り付ければ、サンプル料理を置く台としても使用することができる。
【図面の簡単な説明】
【図１】この発明に係るイーゼル用テーブルの一形態を示す平面図
【図２】同上の中央縦断面図
【図３】この発明に係るイーゼル用テーブルをイーゼルに取り付けた使用状態の斜視図
【図４】この発明に係るイーゼル用テーブルの取り付け状態を示す部分正面図
【図５】（ａ）は、この発明に係るイーゼル用テーブルをイーゼルに取り付けた使用状態の側面図、（ｂ）は、その部分拡大図
【図６】この発明に係るイーゼル用テーブルの別な形態を示す使用状態の斜視図
【符号の説明】
Ａ  キャンバス
１  イーゼル
２ａ、２ｂ  前脚
３  後脚
４  キャンバス台
５  キャンバス押さえ桿
６  ピン孔
７  ピン
１０  台板
１１  切り欠き
１１ａ  縦切り欠き部
１１ｂ  横切り欠き部
１２  蓋
１３  箱体
１４  筆立て
１５  筆洗
１６、１７  差し込み孔
１８  補助板
１９  収容凹部
２０  筆差し込み孔
【図１】
0003606792.tif 000002
【図２】
0003606792.tif 000003
【図３】
0003606792.tif 000004
【図４】
0003606792.tif 000005
【図５】
0003606792.tif 000006
【図６】
0003606792.tif 000007
(57)【特許請求の範囲】
【請求項１】
鞘管を水平状態から垂直状態に立ち上がらせる部分の鞘管の上面を押える湾曲した断面弧状の保持具本体と、該保持具本体の上端に連続して配置された１対の係止部と、この係止部に係合されて鞘管背面を押える楔部材と、前記保持具本体から下方に連続される支持脚とを有しており、且つ前記楔部材を、その段部が係止部の下端に係合して抜き出し不能になるまで前記係止部に押し込めることで鞘管の背面を押える構成であることを特徴とする鞘管立ち上がり部保持具。
【発明の詳細な説明】
【０００１】
【発明の属する技術分野】
本発明は、鞘管工法に利用する鞘管立ち上がり部保持具に関する。
【０００２】
【従来の技術】
コンクリート建造物において給水用或いは給湯用などの配管のために、打設するコンクリートの中に予め鞘管を用意しておき、コンクリートの養生をまって鞘管を利用して配管を行う所謂鞘管工法がある。
【０００３】
上記した鞘管工法において、鞘管をスラブコンクリート面から壁に向かって立ち上がらせる、鞘管立ち上がり部を保持するのに利用する鞘管立ち上がり部保持具としては、例えば、実開昭５８−２０７８２号公報、同６３−１９５１７５  号公報、実開平６−１９６５号公報などに記載のものがある。特に、実開平６−１９６５号公報には、従来広く実施されている保持具が第９〜１１図に示されている。
【０００４】
【発明が解決しようとする課題】
この種の保持具は、打設したコンクリート中に埋設されてしまうものであり、所謂使い捨てであるために、安価であること、作業性の向上のために使い勝手がよいことが要求される。
【０００５】
前記した実開平６−１９６５号公報には、従来の保持具が、保持具本体の下端と上端で、鞘管の全周面を固定するために、保持具本体とは別個に形成した保持部材をネジ止めする手法を採用していた点を改良し、保持具本体を螺旋状に形成すると共に、その下端及び上端に環状部を設けることで鞘管の全周の保持を行う鞘管立ち上がり部保持具が提案されている。
【０００６】
然しながら、上記公報に示されている保持具では、保持具本体及び上端下端の環状部を形成するために螺旋構造とするので、単純なプレス加工では製造することができず、製造コストの面で難点がある。また、鞘管の取り付けに際しては、上端下端の環状部へ内側から差し込む操作が必要であるので使い勝手にも難点がある。
【０００７】
本発明は、製造コストをより低廉化することができ、しかも使い勝手のよい鞘管立ち上がり部保持具を提供することを目的とする。
【０００８】
【課題を解決するための手段】
本発明に係る鞘管立ち上がり部保持具は、鞘管を水平状態から垂直状態に立ち上がらせる部分の鞘管の上面を押える湾曲した断面弧状の保持具本体と、該保持具本体の上端に連続して配置された１対の係止部と、この係止部に係合されて鞘管背面を押える楔部材と、前記保持具本体から下方に連続される支持脚とを有しており、且つ前記楔部材を、その段部が係止部の下端に係合して抜き出し不能になるまで前記係止部に押し込めることで鞘管の背面を押える構成であることを特徴とする。
【０００９】
【発明の実施の形態】
次に、図面に従って、本発明に係る鞘管立ち上がり部保持具（以下、単に保持具と略称する）の実施の形態を説明する。
【００１０】
図１において、１０は鞘管であり、次に説明する保持具２０により水平状態から垂直状態に立ち上がる部分が保持される。
【００１１】
本発明に係る保持具２０は、鞘管１０の上面を押える保持具本体２１と、この保持具本体２１の下方に連続する支持脚２２、鞘管１０の背面側を押えるために保持具本体２１の上端部に連続して設けられた１対の係止部２３と、鞘管背面を押える楔部材２４とで構成されている。
【００１２】
保持具本体２１の上面には、外側に向かう突条から構成される補強用リブ２５が形成されている。
【００１３】
鞘管背面押え手段は、図示のように鞘管１０に保持具本体２１を取り付けて、支持脚２２の端部に形成されている支持脚水平部２６の透孔を通して釘打ちすることにより支持具本体２１の固定を行ってから、楔部材２４を、その段部２７が係止部２３の下端に係合して抜き出し不能になるまで係止部２３に押し込めることで鞘管１０の背面を押える。勿論、鞘管１０の背面押えを行った後で、支持脚水平部２６の透孔を利用して釘打ちを行って固定するように作業してもよい。
【００１４】
本発明に係る保持具２０によれば、保持具本体２１の下方に形成されているスペースに鞘管１０を差し込み、更に屈曲させて楔部材２４を取り付けるだけで鞘管１０に対する保持具２０の取り付けを行うことができる。
【００１５】
本発明に係る保持具２０は、１枚の金属板をプレスにより剪断及び曲げ加工を行うことによって形成することができる。
【００１６】
【発明の効果】
本発明によれば、１枚の金属板をプレスにより剪断及び曲げ加工するだけの工程で保持具を得ることができるので製造コストを著しく低廉化することが可能であり、また、実際の施工の際には、保持具本体２１の下方に広く開いたスペースに鞘管１０を差し込み、更に曲げてから楔部材２４を係止部２３に押し込めるだけで鞘管１０の背面の押えを行うことができるので、従来品に比較し非常に使い勝手が良好となる。
【００１７】
特に、頭記した実開平６−１９６５号公報に示されている保持具と比較した場合、本発明の保持具が単純なプレス加工による製造が可能であるのに対し、保持具本体を螺旋状に、そして上下端部に環状部を形成するために複雑な加工工程を必要とする保持具が製造コストの面での優劣は自明である。また、使い勝手の点をみても、保持具の上下端で狭い環状部に、それも鞘管を曲げた状態で鞘管を差し込む方式をとる上記公報に示されている保持具との差は明らかである。更に、従来品として頭記した保持具のように、保持具本体の上下端に押え片をビスなどにより取り付ける方式とは使い勝手に雲泥の差が生じることは明らかである。
【図面の簡単な説明】
【図１】本発明の１実施例を示す斜視図
【符号の説明】
１０−鞘管
２０−鞘管立ち上がり部保持具
２１−保持具本体
２２−支持脚
２３−係止部
２４−楔部材
２５−補強用リブ
２６−支持脚水平部
２７−段部
【図１】
0003606663.tif 000002
(57)【特許請求の範囲】
【請求項１】
表面に線状体を隣接させて巻いた、調味料を吸収しないローラーを用い、このローラーに調味液を付着させ、該ローラーに海苔を接触させることにより、上記線状体に付着した調味液を海苔に塗布することを特徴とする味付け海苔の調味液塗布方法。
【請求項２】
上記線状体が、調味液を吸収しないものである請求項１に記載の味付け海苔の調味液塗布方法。
【発明の詳細な説明】
【０００１】
【発明の属する技術分野】
本発明は、海苔に調味液を塗布する方法に関する。
【０００２】
【従来の技術】
通常、味付け海苔には、タレと呼ばれる調味液が表裏面にまんべんなく塗布されている。海苔に該調味液を塗布する基本的な方法は、次のとおりである。まず、３段のスポンジローラーを上下に接触させて配設する。次いで、最上段のローラーに調味液を供給しながら回転させると、その下の２段目および３段目のローラーも回転して調味液が順次送られる。そして、海苔を２段目と３段目のローラー間に通すと、上記調味液がこの海苔の表裏面にまんべんなく塗布される。
【０００３】
図３および図４は、現在使われている味付け装置を示したものである。これらは、スポンジローラーａと糸ｂを組み合わせた装置である。図３はその側面図、図４は正面図である。これらの図において、上下４段のスポンジローラーａを２列設置し、上から２段目と３段目のスポンジローラーｃ，ｄの前後に別のローラーｅを設け、これらは、糸ｂがかけられている。糸ｂは海苔ｆが上記スポンジローラーｃ，ｄに巻き付くのを防止する。そして、上部のコックｇから調味液を供給し、最上段のローラーｈから下段のローラーへと、順次、調味液を送る。そして、２段目および３段目のローラーｃ，ｄの間に海苔ｆを挿通すことにより、調味液を海苔ｆに塗布する。
【０００４】
【発明が解決しようとする課題】
上記従来の味付け海苔の調味液塗布方法には、以下の問題点があった。
（１）調味液に粉末等の固形物が含まれている場合、上記スポンジローラーの表面に該固形物が付着して溜まり、海苔に塗布することが困難であった。このため、調味液をフィルターで濾して該固形物を除去する必要があった。
（２）調味液の粘度を高くしたり、供給量を多くしたりすると、海苔が上記スポンジローラーに巻き付くおそれがあった。
（３）スポンジローラーは吸水性が高く、調味液が十分染み込むため、内部まできれいに洗浄することが困難であった。このため、カビ等の微生物が繁殖しやすくなり、不衛生であった。
（４）濃い調味液を海苔全体に塗布すると、味が濃くなりすぎる場合があった。
これに対して、ローラーに凸面を設け、これに接着作用をもつ調味料を付着させ、これを海苔に塗布する方式の塗布装置が提案されていた（実開昭５３−１０２９９７号）。
【０００５】
本発明は、固形物を含む調味液を塗布することができ、海苔がローラーに巻き付かず、衛生的で、適度な味加減にすることができる、新しい、味付け海苔の調味液塗布方法を提供することにある。
【０００６】
【課題を解決するための手段】
本発明の要旨は、表面に線状体を巻いたローラーを用い、このローラーに調味液を付着させ、該ローラーに海苔を接触させることにより、上記線状体に付着した調味液を海苔に塗布することにある。
【０００７】
【発明の実施の形態】
以下に図面を参照しながら、本発明に係る味付け海苔の調味液塗布方法を詳細に説明する。
図１は、本発明に係る海苔の調味液塗布装置を側面から見た概略図である。この装置には、上下４段のローラー１を配設している。上から３段目のローラー２が駆動ローラであり、このローラー２を回転させると、他のローラーも同時に回転する。次いで、調味液を上部から供給すると、最上段のローラー３から順次に下のローラーへと、該調味液が送られる。そして、海苔４を３段目ローラー２と最下段ローラー５との間に挿入して間欠的に送ると、調味液が海苔４の表裏面に塗布される。また、調味液には、カレー、味噌、ウニ、梅の粉等を含ませることができる。
【０００８】
図２は、図１と同様に、本発明に係る海苔の調味液塗布装置を側面から見た概略図であるが、調味液６の供給位置を下部にした場合を示している。つまり、最下段ローラー７の下に調味液６を入れた容器８を置き、最下段ローラー７を回転させて調味液６を付着させ、その上部のローラーに順次、該調味液６を送るものである。
そして、図１に示した３段目ローラー２と最下段ローラー５、あるいは図２に示した最上段ローラー９と２段目ローラー１０の表面に線状体を巻きつけ、該線状体に付着した調味液６を海苔４に塗布する。ここで、該線状体は三つ編みで直径２．５〜４．０ｍｍのナイロン糸を使用することが好ましい。
【０００９】
このローラー１２は、調味液６および調味液に含まれる固形物を吸収、吸着しない材質のもの、例えばゴムやナイロン、ポリエチレン等が好ましい。また、線状体によって形成される凹面が浅すぎたり、調味液６の供給量が多すぎると、該凹面に調味液６が埋まってしまうため、凹面の深さや調味液６の供給量を適度に確保することが必要である。
【００１０】
【実施例】
実施例１
図２に示した設備において、径９ｃｍ、長さ２７ｃｍのローラーを用い、最上段ローラー９と２段目ローラー１０には、径３ｍｍに三つ編みされたナイロン糸を隣接させて多数本を巻き付け、下２段のローラー間隔は０．２ｍｍとした。調味液５は、ブリックス５８（粘度２００ｃｐ）を用いた。この場合も、海苔４を１枚ずつ、計５００枚流したが、ローラーへの巻き付きもなく、良質の味付け海苔を生産することができた。
【００１１】
【発明の効果】
本発明に係る味付け海苔の調味液塗布方法によれば、
（１）線状体を用いることにより、調味液を海苔に塗布する凸面あるいは凹面の面積の調整し、それによって、味が濃くなりすぎず、適度な味加減にすることができる。
（２）ローラーに調味液が染み込まないので、ローラーをきれいに洗浄できて衛生的である。
【図面の簡単な説明】
【図１】本発明に係る海苔の調味液塗布装置を側面から見た概略図である。（調味液を上部から供給する場合）
【図２】本発明に係る海苔の調味液塗布装置を側面から見た概略図である。（調味液を下部から供給する場合）
【図３】従来の海苔の調味液塗布装置を側面から見た概略図である。
【図４】図３に示した海苔の調味液塗布装置の正面図である。
【符号の説明】
１  ローラー全体
２  駆動部ローラー
３  最上段ローラー
４  海苔
５  最下段ローラー
６  調味液
７  最下段ローラー
８  容器
９  最上段ローラー
１０  ２段目ローラー
【図１】
0003606676.tif 000002
【図２】
0003606676.tif 000003
【図３】
0003606676.tif 000004
【図４】
0003606676.tif 000005
(57)【特許請求の範囲】
【請求項１】
スライドレールにより電子機器等を滑かに出し入れする機器収容架において、該収容架と個々の収容対象機器との間に設けられるレールユニットであって、
収容架に適合する横幅間隔と奥行寸法を有して平行に配置され、かつ対象機器に適合する縦幅を有する左右の側板と、両側板を平行に保つ前後の仕切板と、両側板の内面に、対象機器の寸法に合わせてその対向間隔及び取付け高さを微調整可能に設けられる一対のスライドレールとを備え、
当該レールユニット中のスライドレールと対象機器の適合状態を収容架外において調整した後に、収容架に前面から固定することができるレールユニット。
【発明の詳細な説明】
【０００１】
【発明の属する技術分野】
本発明は電子機器等を多段に収容する機器収容架に関し、特に、機器収容架における収容機器変更の際の調整作業を簡易化する補助架に関する。
【０００２】
【従来の技術】
電子機器等を収容する機器収容架の側板内面には、機器を引き出す際に機器をスライドさせるスライドレールが直接固定されている。各機器の横幅及び最大奥行寸法は概ね標準化されているが、正面から見た縦寸法（高さ）には様々なものがある。このような架に収容されている機器を、異なる寸法を有する機器に変更する場合は、架内のスライドレール取付け位置を移動させなければならない。
【０００３】
スライドレールの移動に際してはスライドレールの取付け状態（幅、高さ、行程）を機器に合わせて微調整する必要があり、スライドレールを収容架に仮付けした上で機器を入れてみて具合を試す手順を繰り返すという、大変手間の掛かる作業が必要になる。しかも収容架が狭い場所に固定されていて、このような手間の掛かる作業を窮屈な姿勢で行わねばならぬ現場が少なくない。
【０００４】
【発明が解決しようとする課題】
本発明の課題は、収容架内機器の変更時に、機器とスライドレールの関係を工場あるいは収容架外において調整できるようにして、収容架設置現場でのスライドレール調整作業を省くことである。
【０００５】
【課題を解決するための手段】
上記の課題は、スライドレールを収容架に直接取り付けるのではなく、個々の収容対象機器と収容架の間に、本発明に係る「レールユニット」と呼ぶ補助架を介在させることにより解決される。
【０００６】
このレールユニットは左右の側板と両側板を平行に保つ前後の仕切板から成り、両側板は収容架に適合する標準の横幅間隔と奥行き寸法を有し、収容される機器に合わせて数種類の縦幅のものが用意される。両側板面には一対のスライドレールが向かい合わせに設けられ、各スライドレールは、取付けねじ貫通孔の余裕の範囲内で、対象機器の寸法に合わせて対向間隔や取付け高さを５ｍｍ程度微調整でき、調整済みの状態で固定できるようになっている。
【０００７】
そして、工場あるいは収容架外において、レールユニットに対象機器を仮設置して機器とスライドレールの関係を予め調整する。調整済みのレールユニットの状態を維持したまま収容架設置場所まで運搬し、収容架の前面からボルト締めして取り付ける。各機器はこの調整済みレールユニットを介して収容架に取り付けられる。その結果、収容架設置現場でのスライドレール調整作業を不要化することができる。
【０００８】
【実施例】
添付の図面を参照しつつ、本発明の好適な一実施例について説明する。図１は本実施例に係るレールユニットの構造を示す組立図であり、コ字形をなすきょう体１０の向かって左半分の各部構造および組立手順を説明している（右半分も同一構造）。図２〜図５は本実施例のレールユニットを収容架へ取り付ける作業手順および取付けを完了した状態を示す斜視図である。
【０００９】
図１において、参照符号１はレールユニット、１０は両側板部と後方仕切板をコ字形に形成したきょう体、２０はスライドレール、３０はスライドレール２０を取付けるレール取付板、３５はレール取付板３０を上下から挟んできょう体１０の側板部に取り付ける上下一対のＬ金具、４０はスライドレール２０をレール取付板３０に固定するレール固定ねじ、５０はＬ金具３５にレール取付板３０を取付けると共に両者の相対位置をずらして対向する２本のスライドレールの対向間隔を調整するレール幅調整ねじ、６０はきょう体１０の側板部にＬ金具３５を取付けると共に両者の上下位置をずらしてスライドレール２０の取付高さを調整するレール高さ調整ねじを表す。なお、スライドレール２０は、レール取付板３０に固定されるベースと、対象機器の側面に取り付けられ、ベースに対してベアリングを介して摺動するインナーを有する。
【００１０】
図２は、レールユニット１と対象機器１００を収容架外の作業台に載せて調整を行っている状態を示す。作業中は、対象機器１００をきょう体１０の側板部の間に挿入する邪魔にならないように、側板部の上下に仮保持具７０を取り付けて側板部の間隔を維持している。
【００１１】
図３は、調整を完了したレールユニット１を収容架１２０に取り付けようとしている状態を示す。この場合は仮保持具７０を取り除き、搬送用パネル８０をレールユニット１の前部から取り付けて調整済みの状態を維持しつつレールユニット１を収容架１２０まで搬送し、そのまま収容架の前面からボルト締めして取り付ける。図４は複数の搬送用パネル８０付きのレールユニット１を収容架１２０に取付け、その中の１個に対象機器１００を実装した状態を示す一部破断斜視図、図５はさらに多くの機器１００を収容架１２０に収容したところを示す斜視図である。
【００１２】
図６は、本実施例の一変形例としての、３層型レールユニット１を示す斜視図である。機器の相互関連性が高い場合には互いに近い位置に設置することが望ましいので、この場合は３台の機器を３層型のレールユニットに収容する。
【００１３】
【発明の効果】
本発明に係るレールユニット中のスライドレールと対象機器との適合状態を、工場あるいは収容架外において予め調整し、各機器をこの調整済みレールユニットを介して収容架に取り付けることにより、収容架設置現場でのスライドレール調整作業を不要化することができる。
【００１４】
【図面の簡単な説明】
【図１】実施例に係るレールユニットの構造を示す斜視図である。
【図２】レールユニットと対象機器を収容架外の作業台に載せて調整を行っている状態を示す斜視図である。
【図３】調整を完了したレールユニットを収容架に取り付けようとしている状態を示す斜視図である。
【図４】複数の搬送用パネル付きのレールユニットを収容架に取付けた状態を示す斜視図である。
【図５】図４の状態の収容架に複数の機器を収容したところを示す斜視図である。
【図６】３層型レールユニットの構成を示す斜視図である。
【符号の説明】
１…レールユニット
１０…両側板と後部仕切板をコ字状に形成したきょう体
２０…スライドレール
３０…レール取付板
３５…Ｌ金具
４０…スライドレール固定ねじ
５０…レール幅調整ねじ
６０…レール高さ調整ねじ
７０…仮保持具
８０…搬送用パネル
１００…機器
１２０…収容架
【図１】
0003606568.tif 000002
【図２】
0003606568.tif 000003
【図３】
0003606568.tif 000004
【図４】
0003606568.tif 000005
【図５】
0003606568.tif 000006
【図６】
0003606568.tif 000007
(57)【特許請求の範囲】
【請求項１】
駆動輪（１）を装架し後方に向けてハンドル杆（２）を立設した機体フレーム（３）に対して刈刃（４）を装架した刈刃ケース（５）を左右片側に偏位して揺動可能に枢着し、先端に遊動輪（６）を枢支した車輪支持アーム（７）を前記刈刃ケース（５）と反対側で機体フレーム（３）に遊動輪（６）の位置を上下調節可能でかつ伸縮固定可能に設けると共に、遊動輪（６）を車輪支持アーム（７）の左右に位置変更して固定可能にし、遊動輪（６）を刈刃ケース（５）前側で駆動輪（１）の略真前位置と刈刃ケース（５）の側部位置とに固定可能にしてなる歩行型自走式草刈機。
【発明の詳細な説明】
【０００１】
【産業上の利用分野】
本発明は、畦の草刈りや樹木の根元等の下草刈等に使用する歩行型自走式草刈り機に関する。
【０００２】
【従来の技術】
左右一対の走行輪あるいは１個の走行輪を備えた走行機体の前部に縦軸を中心に回転する刈刃を設けた刈刃ケースを取り付けた歩行型自走式草刈機は、例えば、実開昭５９−１６６６１６号公報や実開昭６３−６８７２９号公報等に記載されている。
また、このような歩行型自走式草刈機で、畦等の傾斜面の刈り取り作業を容易にすべく、刈刃ケースを走行機体の左右片側に前後方向の軸を中心にして左右に揺動するようにした構成のものが例えば実開平６−６８４０９号公報に記載されている。
【０００３】
【発明が解決しようとする課題】
前記の歩行型自走式草刈機は、刈刃ケースを支持するために、走行機体から刈刃ケースの上方を超えて、前方へ延びる車輪支持アームを設け、この支持アームの先端に走行輪の略真前に位置して前輪を取り付け、刈刃が地面に沿って回転するように刈刃ケースを支持している。この構成では刈刃ケースの前方に前輪が位置しているため、樹木の根元や塀の際などに接近して草を刈り取ることができない。
そこで、本発明では、前方に障害物があってもその障害物の極く近くまで刈刃ケースを接近させて草刈りができるようにすることを課題とする。
【０００４】
【課題を解決するための手段】
駆動輪１を装架し後方に向けてハンドル杆２を立設した機体フレーム３に対して刈刃４を装架した刈刃ケース５を左右片側に偏位して揺動可能に枢着し、先端に遊動輪６を枢支した車輪支持アーム７を前記刈刃ケース５と反対側で機体フレーム３に遊動輪６の位置を上下調節可能でかつ伸縮固定可能に設けると共に、遊動輪６を車輪支持アーム７の左右に位置変更して固定可能にし、遊動輪６を刈刃ケース５の前側で駆動輪１の略真前位置と刈刃ケース５の側部位置とに固定可能にした。
【０００５】
【発明の作用及び効果】
この歩行型自走式草刈機を使用して畦等の前方に障害物が無い場所で草を刈る場合には、車輪支持アーム７を伸ばして遊動輪６を刈刃フレーム５の前方に位置固定して、機体フレーム３を水平に保持したままで、刈刃フレーム５が地面の左右傾きに沿って揺動しながら走行させて作業が行え、作業が安定し楽である。
【０００６】
また、樹木の根元や塀際等の草を刈る場合には、車輪支持アームを縮めて遊動輪６を刈刃ケース５の側部に固定することで、刈刃ケース５の先端が樹木や塀に接近することができ、刈り取り範囲が広がることになる。
【０００７】
【実施例】
次に、本発明の一実施例を図面を参照しながら説明する。
機体フレーム３には、原動機１０を搭載し、１個の駆動輪１を装架し、後斜め上方に向けてハンドル杆２を突設している。
左右のハンドル杆２の先端握り部１１の下部には走行クラッチレバー１２と刈り取りクラッチレバー１３を設け、左ハンドル杆２の前部にチェンジレバー１４とスロットルレバー１５とを設けて、作業者がハンドル杆２の握り部１１を持って走行しながら前進し刈取作業を行うようにしている。
【０００８】
刈刃ケース５は、垂直回転軸１６に取り付けた取付アーム１７の先端に取り付けた刈刃４の回動範囲を覆う下側が開いたケースで前後方向の前軸１８と後軸１９で機体フレーム３に左右揺動可能に取り付けている。
２０は刈刃フレーム５の側部を受ける補助輪である。
【０００９】
刈刃ケース５の前側は側部が開口して取入口２１を形成していて、その上部に支軸２２を横架し、この支軸２２に短冊状の板体２３を遊嵌し、各板体２３間にカラー２４を遊挿し、板体が前後方向及び左右方向に揺動可能としている。
機体フレーム３の刈刃ケース５と反対側には後方へ延びる操作杆２５の取付ブラケット２６を支軸２７で取り付け、複数の引掛部を形成した係止枠２８に操作杆２５の途中を引っ掛けて遊動輪６の上下高さを調節するようにしている。
【００１０】
取付けブラケット２６には四角孔を形成し、前後方向の車輪支持アーム７を嵌合させ、ピン２９で車輪支持アーム７を伸縮して固定するようにしている。
車輪支持アーム７の先端には遊動輪６を左右位置変更可能に支軸３０で取り付けている。３１は左右位置で固定する引張ばねである。
【００１１】
畦や道端等の前方に障害物が無い場合には、遊動輪６を図１の実線位置として刈取走行を行い、樹木の根元等の草刈りを行う場合には、遊動輪６を図１の想像線位置にして刈刃ケース５の側方に遊動輪６を位置させて刈取り作業を行うのである。
刈取高さを変更するには、操作杆２５と係止杆２８の係止位置を変更して遊動輪６の高さを変更する。
【図面の簡単な説明】
【図１】本発明実施例の平面図である。
【図２】本発明実施例の側面図である。
【図３】本発明実施例の一部正面図である。
【図４】本発明実施例の一部拡大正断面図である。
【符号の説明】
１  駆動輪
２  ハンドル杆
３  機体フレーム
４  刈刃
５  刈刃ケース
６  遊動輪
７  車輪支持アーム
【図１】
0003606292.tif 000002
【図２】
0003606292.tif 000003
【図３】
0003606292.tif 000004
【図４】
0003606292.tif 000005
(57)【特許請求の範囲】
【請求項１】
給排水ボックスの固定部に回転可能に取り付けられ、回転軸部が前記給排水ボックス固定部にコンプリングで連結されている歯科用スピットンにおいて、前記スピットンの回転部にプランジャーを、前記給排水ボックスに前記プランジャーに協働する押え部材を有し、前記スピットンを手前に引いた時に、前記プランジャーと前記押え部材が係合して前記スピットンをうがい位置に保持し、押した時に、前記コンプリングにより自動的に元の位置に戻るようにしたことを特徴とする歯科用スピットン。
【発明の詳細な説明】
【０００１】
【発明の属する技術分野】
本発明は、歯科用スピットン、より詳細には、うがい時、手前に引いて楽な姿勢でうがいをし、うがい後、軽く押すだけで、元の位置に自動的に戻るようにした歯科用スピットン。
【０００２】
【従来の技術】
図５は、本発明が適用される歯科治療ユニットの一例を示す全体構成図で、該歯科治療ユニットは、治療椅子１、ワークテーブル２、インスツルメントホルダ３、各種インスツルメント４、給排水ボックス５、コップ給水ノズル６、スピットン７、スピットン（鉢）洗水ノズル、及び、これらコップ給水ノズル６、スピットン７、スピットン洗水ノズル８等を一体的に具備し、コップ９を載せるコップ置き部等が設けられているスピットン基台１０等から成る。インスツルメントホルダ３には、歯科治療において使用する種々のインスツルメント４が収納されており、周知のように、歯科治療に当り、患者は椅子１に座り、頭を安頭台に固定して治療を受ける。治療中、術者は治療椅子１を上下動、倒起動、傾斜動等させて、患者を治療しやすい姿勢にして治療を行い、起動時、患者は、時々、うがいを行う。
【０００３】
【発明が解決しようとする課題】
而して、歯科治療においては、歯科治療中、時々、治療終了後等に、患者は、口腔内をうがいをするが、従来、スピットンが固定されているため、患者は、身体を前に出して口腔内のうがい水をスピットン７内に吐き出さなければならず、特に、老人、身体の弱い人、身体に障害のある人等にとって、うがい作業が楽ではなかった。
【０００４】
本発明は、上述のごとき実情に鑑みてなされたもので、患者が身体を前に出す代りに、スピットンが手前にくるようにして、楽な姿勢でうがいできるようにし、かつ、うがい終了後、スピットンを軽く押すだけで該スピットンが元の位置に自動的に戻るようにしたものである。
【０００５】
【課題を解決するための手段】
本発明は、給排水ボックスの固定部に回転可能に取り付けられ、回転軸部が前記給排水ボックス固定部にコンプリングで連結されている歯科用スピットンにおいて、前記スピットンの回転部にプランジャーを、前記給排水ボックスに前記プランジャーに協働する押え部材を有し、前記スピットンを手前に引いた時に、前記プランジャーと前記押え部材が係合して前記スピットンをうがい位置に保持し、押した時に、前記コンプリングにより自動的に元の位置に戻るようにしたことを特徴としたものである。
【０００９】
【発明の実施の形態】
図１は、本発明によるスピットンの動作を説明するための図で、同図は、スピットンの斜視図（図１（Ａ））、及びスピットンと患者との相対位置関係（図１（Ｂ））を示し、図示のように、スピットン７は、給排水ボックス５の上部に回転可能に取り付けられたスピットン基台１０に取り付けられており、うがい時、患者Ｍは手を伸ばしてスピットン基台１０に設けられている取手１１を持って手元に引くと、スピットン基台１０が垂直軸Ｏ−Ｏのまわりに回転して、スピットン７が患者の手前に来る。ここで、患者は、口腔内をうがいをし、口腔内のうがい水をスピットン７内に吐き捨てる。この時、スピットン７は、患者の手前にあるので、患者は楽な姿勢で、口腔内のうがい水をスピットン７に吐き捨てることができる。うがい終了後、スピットン７を元の位置に戻さなければならないが、その時、本発明においては、スピットン基台１０を軽い力で元の方向に戻すように押すだけで、該スピットン７を元の位置に戻すことができるようになっている。
【００１０】
図２は、上述のごとき本発明によるスピットンの動作を行わせるための機構を説明するための図で、同図は、スピットンを下側から見た時の要部斜視図を示し、図中、１２はスピットン基台１０の回転軸で、該回転軸１２は給排水ボックス５の上板等に回転可能に取り付けられている。１３は給排水ボックス５の固定部に取り付けられたコンプリングで、該コンプリング１３の一端はスピットン基台１０の回転軸に固定されている。ここで、うがい時、患者がスピットン基台１０の取手１１を持って手元に引くと、スピットン基台１０は矢印方向に回転し、コンプリングが伸ばされる。スピットン基台１０の回転軸部（例えば、スピットンの軸を固定するためのナット１４の側面又は下面）には、例えば、図３に示すように、プランジャー（例えば、ボールプランジャー）１５が取り付けられており、該スピットン７が患者の手前のうがい位置に引かれてきた時に、該プランジャー１５の先端が、給排水ボックスに固定された押え部材１６と係合し、この状態で、例えば、プランジャー１５の先端部より突出しているボールが、最初、押え部材１６の傾斜面に当り、該傾斜面に沿って上方に持ち上げられ、水平面に乗り上げられ、この状態、つまり、ボールプランジャー１５と押え部材１６が係合した状態で、スピットン基台１０はその位置に保持されている。患者は、この状態でうがいをし、うがい後、スピットン７（又はスピットン基台１０）を軽く押し返す。すると、ボールプランジャー１５が押え部材１６から外れ、伸ばされていたコンプリングが元の状態に戻る力を利用して、スピットン基台１０は自動で回転して元の位置に戻る。
【００１２】
【発明の効果】
以上の説明から明らかなように、本発明によると、歯科治療において、患者は、スピットンを手前に引いて楽な姿勢でうがいをすることができ、うがい後、スピットンを軽く押し返すだけで、スピットンを元の位置に自動的に戻すことができる。
【図面の簡単な説明】
【図１】本発明によるスピットンの動作（図１（Ａ））と、スピットンと患者との相対位置関係（図１（Ｂ））を示す図である。
【図２】本発明によるスピットンを下側から見た時の要部概略構成図である。
【図３】スピットン側に取り付けられたボールプランジャーと給排水ボックス側に取り付けられた押え部材との関係を説明するための図である。
【図４】本発明が適用される歯科治療ユニットの一例を説明するための要部全体構成図である。
【符号の説明】
７…スピットン、１０…スピットン基台、１１…取手、１２…回転軸、１３…コンプリング、１４…スピットン軸固定ナット、１５…ボールプランジャー、１６…押え部材、Ｍ…患者。
【図１】
0003606823.tif 000002
【図２】
0003606823.tif 000003
【図３】
0003606823.tif 000004
【図４】
0003606823.tif 000005
(57)【特許請求の範囲】
【請求項１】
天井廻りにおいて壁面に固定して用いられる長尺の廻り縁であって、壁面に接する固定面の反対側において天井材の端部が嵌入される溝が長手方向略全長に亘って延長形成され、この天井材嵌入溝の上方に位置する第一の前方突出部には野縁の端部が嵌合される欠き込みが所定間隔で天井材嵌入溝と連通するように形成され、天井材嵌入溝の下方に位置する第二の前方突出部とその下方に連続する下方延長部とで化粧面を構成していることを特徴とする天井用の廻り縁。
【請求項２】
請求項１記載の天井用の廻り縁の固定面を壁面に固定し、対向する廻り縁の欠き込みに野縁の両端部を嵌合して架け渡すとともに、対向する廻り縁の天井材嵌入溝に天井材の両端部を嵌入して取り付け、天井材を野縁に固定してなることを特徴とする天井構造。
【発明の詳細な説明】
【０００１】
【発明の属する技術分野】
本発明は、天井用の廻り縁およびこれを用いた天井構造に関する。
【０００２】
【従来の技術】
木造建築における天井施工は、従来、図５に示すように、野縁受け（図示せず）を９００ｍｍ程度の間隔で配置して吊木（図示せず）に固定し、この野縁受けに対して直交する方向に野縁Ａを所定間隔で取り付けるとともに、野縁Ａの端部の壁ぎわにおいては該野縁に対して直交する方向に野縁Ｂを取り付けて天井下地とし、これら野縁Ａ，Ｂの下面に天井板Ｃを取り付けることによって施工していた。また、壁面Ｄに沿う天井板Ｃの端部下面側には廻り縁Ｅを取り付けて化粧を施していた。
【０００３】
【発明が解決しようとする課題】
このような天井施工は作業者が見上げて行う必要があるため作業がしづらく、特に壁ぎわで野縁Ａの端部に野縁Ｂを直交させて取り付ける作業は一本毎に野縁同士を緊結する必要があるため、作業が面倒で手間がかかるという問題があった。また、廻り縁Ｅの施工は天井施工が終了した後に行う必要があるため、作業が二度手間となっていた。
【０００４】
【課題を解決するための手段】
そこで本発明は、上記問題を解決し、特定の形状を有する廻り縁を用いることによって天井施工の省力化を図ることを目的とする。
【０００５】
この目的を達成するため、請求項１にかかる本発明は、天井廻りにおいて壁面に固定して用いられる長尺の廻り縁であって、壁面に接する固定面の反対側において天井材の端部が嵌入される溝が長手方向略全長に亘って延長形成され、この天井材嵌入溝の上方に位置する第一の前方突出部には野縁の端部が嵌合される欠き込みが所定間隔で天井材嵌入溝と連通するように形成され、天井材嵌入溝の下方に位置する第二の前方突出部とその下方に連続する下方延長部とで化粧面を構成していることを特徴とする。
【０００６】
請求項２にかかる本発明は、請求項１記載の天井用の廻り縁の固定面を壁面に固定し、対向する廻り縁の欠き込みに野縁の両端部を嵌合して架け渡すとともに、対向する廻り縁の天井材嵌入溝に天井材の両端部を嵌入して取り付け、天井材を野縁に固定してなることを特徴とする天井構造である。
【０００７】
【発明の実施の形態】
図１〜図４を参照して本発明の一実施形態による廻り縁およびこれを用いた天井構造について説明する。
【０００８】
符号１０は木質材料や合成樹脂材料から断面略Ｆ形の長尺部材として形成される廻り縁であり、壁面を与える壁材１に接する固定面１１の反対側（前面）に、第一の前方突出部１２と第二の前方突出部１３との間に所要深さの天井材嵌入溝１４が長手方向略全長に亘って連続して延長するように形成されている。
【０００９】
第二の前方突出部１３の下方には下方延長部１５が設けられ、これらで廻り縁１０の化粧面を構成している。この実施形態では、第二の前方突出部１３および下方延長部１５の表面が連続した曲面状の化粧面を与えるように構成されている。
【００１０】
第一の前方突出部１２には、野縁２の端部を嵌合するための欠き込み１６が所定間隔で天井材嵌入溝１４と連通するように形成されている。
【００１１】
このような廻り縁１０を、その固定面１１を天井廻りの所定位置にて壁材１に密接させて釘やネジ等の固着具、接着剤、両面テープ等の任意手段により対向位置に固定した後、対向する廻り縁１０，１０の欠き込み１６，１６に各野縁２の両端部を嵌合して架け渡すとともに、天井材嵌入溝１４，１４に天井材３の両端部を嵌入して取り付け、釘やネジ等の固着具、接着剤、両面テープ等の任意手段により天井材３を野縁２，２の下面に固定する。好ましくは、対向する廻り縁１０，１０間に架け渡した複数の野縁２，２・・・に対して直交するように所定間隔で別の野縁（図示せず）を取り付けて格子状の天井下地を形成し、この天井下地の下面に対して天井材３を固定する。
【００１２】
【発明の効果】
本発明によれば、野縁の端部の壁ぎわにおいて該野縁に対して直交する方向に野縁を取り付ける必要がなく、対向する廻り縁間に野縁を架け渡すだけで天井下地を形成することができる。
【００１３】
しかも、廻り縁の上面にはあらかじめ所定間隔で欠き込みが形成されており、この欠き込みに野縁の端部を嵌合させることで野縁の位置決めが自動的に行われることになるので、天井施工手間を大幅に削減することができる。
【００１４】
また、天井材についても廻り縁の嵌入溝に挿入することで取付が可能であり、見上げながらの作業ではあっても比較的容易に作業を行うことができる。
【００１５】
さらに、廻り縁の下方部分は従来の廻り縁と同様の化粧面を与えており、野縁の端部を支持する機能と化粧目的の廻り縁としての機能を併せ持つものとなっているため、従来のように天井施工終了後に廻り縁を装着する作業が不要となる。
【図面の簡単な説明】
【図１】本発明の一実施形態による天井構造の部分切断斜視図である。
【図２】この天井構造の平面図である。
【図３】この天井構造の正面図である。
【図４】この天井構造の水平断面図である。
【図５】従来技術による天井構造の水平断面図である。
【符号の説明】
１  壁材
２  野縁
３  天井材
１０  廻り縁
１１  固定面
１２  第一の前方突出部
１３  第二の前方突出部
１４  天井材嵌入溝
１５  下方延長部
１６  欠き込み
【図１】
0003606845.tif 000002
【図２】
0003606845.tif 000003
【図３】
0003606845.tif 000004
【図４】
0003606845.tif 000005
【図５】
0003606845.tif 000006